(57)【要約】【課題】釣り用リールのハンドル把手において、キャップ部材と把手部とが共回りするのを防止する。【解決手段】ハンドル把手２３は、把手軸２２に回転自在かつ軸方向移動不能に装着される筒状部３１と、筒状部３１の外周側を覆うように接着固定された把手部３２と、把手部３２の先端部の開口を閉塞するためのキャップ部材３３とを有している。筒状部３１は、把手軸２２の外周側に回転自在に装着された本体筒部３１ａと、本体筒部３１ａのハンドルアーム２１側端部外周に形成され本体筒部３１ａを回り止めするための回り止め部３１ｂと、本体筒部３１ａのハンドルアーム２１と逆側端部に開口するように形成された雌ねじ部３１ｃと、本体筒部３１ａの外周部に突出して形成された凸部３１ｄとを有している。【選択図】図３
2008005793.tif 000002
【特許請求の範囲】
【請求項１】
釣り用リールのハンドルアームの先端に固定された把手軸に回転自在に装着されるハンドル把手であって、
前記把手軸の外周側に回転自在に装着された本体筒部と、前記本体筒部の外周部に突出して形成された凸部と、前記本体筒部の前記ハンドルアームと逆側端部に開口するように形成されたねじ装着孔とを有する筒状部と、
前記本体筒部の外周側に前記本体筒部の先端部から基端部に向かって前記凸部の外周部に接触するように装着される筒状の把手本体を有する把手部と、
前記ねじ装着孔に螺合可能なねじ装着部と、前記ねじ装着部の外径より大径に形成され前記ねじ装着部の開口を閉塞するように前記把手本体の先端部に接触可能な頭部とを有するキャップ部材と、
を備えた釣り用リールのハンドル把手。
【請求項２】
前記凸部は、前記本体筒部の軸方向に沿って形成されている、請求項１に記載の釣り用リールのハンドル把手。
【請求項３】
前記凸部は、前記本体筒部の周方向に間隔をあけて複数箇所に形成されている、請求項１又は２に記載の釣り用リールのハンドル把手。
【請求項４】
前記把手部は、前記本体筒部の外周側に接着固定されている、請求項１から３のいずれか１項に記載の釣り用リールのハンドル把手。
【請求項５】
前記把手部は、前記本体筒部の外周側に着脱可能に圧入されている、請求項１から３のいずれか１項に記載の釣り用リールのハンドル把手。
【請求項６】
前記筒状部は、前記本体筒部の前記ハンドルアーム側端部外周に形成され前記本体筒部を回り止めするための回り止め部をさらに有している、請求項１から５のいずれか１項に記載の釣り用リールのハンドル把手。
【請求項７】
前記回り止め部は、前記本体筒部の外径より大径となるように形成されている、請求項６に記載の釣り用リールのハンドル把手。
【請求項８】
前記回り止め部は、外形形状が非円形となるように形成されている、請求項６又は７に記載の釣り用リールのハンドル把手。
【請求項９】
前記回り止め部は、前記本体筒部と一体成形されている、請求項６から８のいずれか１項に記載の釣り用リールのハンドル把手。
【請求項１０】
前記筒状部は、前記本体筒部の内周部にインサート成形された筒部をさらに有している、請求項１から９のいずれか１項に記載の釣り用リールのハンドル把手。
【請求項１１】
前記本体筒部は、合成樹脂製部材であり、前記筒部は、金属製部材である、請求項１０に記載の釣り用リールのハンドル把手。
【請求項１２】
前記釣り用リールは、スピニングリールである、請求項１から１１のいずれか１項に記載の釣り用リールのハンドル把手。
【請求項１３】
前記釣り用リールは、両軸受リールである、請求項１から１１のいずれか１項に記載の釣り用リールのハンドル把手。
【請求項１４】
前記釣り用リールは、片軸受リールである、請求項１から１１のいずれか１項に記載の釣り用リールのハンドル把手。
【発明の詳細な説明】
【技術分野】
【０００１】
本発明は、ハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に回転不能に固定された把手軸と、把手軸に回転自在に装着されたハンドル把手とを有している。このようなハンドル把手は、把手軸に回転自在に支持された金属製の筒状部と、筒状部の外周を覆うように設けられた鼓状の把手部とを有している。筒状部は、把手軸に対して回転自在かつ軸方向移動不能に装着されており、把手軸の先端部にねじ止めされている。また、把手部の先端部は、把手軸の先端部に装着されたねじ部材が露出するように開口しており、この開口部を閉塞するためのキャップ部材がさらに設けられている。このようなキャップ部材は、たとえば把手部又は筒状部の内周部に形成された雌ねじに螺合する雄ねじが形成されており、キャップ部材自身を回転させることによって把手部又は筒状部に固定される。
【０００３】
このようなハンドル把手では、把手部は、たとえばエラストマー等の合成樹脂やコルクや可飾性を有する木材等を加工してポリアセタール等の硬質樹脂製の筒状部の外周部に接着固定したものが知られている（たとえば、特許文献１参照）。また、このようなハンドル把手では、把手部のみを新しいものと交換できるようにするために、弾性樹脂製の把手部を筒状部の外周部に圧入して着脱可能に固定したものが知られている（たとえば、特許文献２参照）。
【特許文献１】特開２００１−２９９１６５号公報
【特許文献２】特許第３５０４４６３号公報
【発明の開示】
【発明が解決しようとする課題】
【０００４】
前記従来のハンドル把手では、把手部は、接着によって筒状部の外周部に固定され、あるいは、筒状部の外周部に圧入して着脱可能に固定されている。前者のハンドル把手は、把手部は筒状部の外周部に接着によって固定されるが、特に、エラストマー製の把手部をポリアセタール製の筒状部に接着したときには接着剤が硬化するのに多くの時間を要するので、接着剤が完全に硬化する前に、筒状部の内周部に形成された雌ねじに螺合する雄ねじが形成されたキャップ部材を装着するために、キャップ部材自身を回転させると、キャップ部材と把手部とが共回りしてしまい、キャップ部材を筒状部に固定することが困難である。また、後者のハンドル把手は、把手部は筒状部の外周部に圧入して固定されているだけであるので、ハンドル使用時において把手部と筒状部とが相対回転してハンドルの快適な使用を妨げるおそれがあるとともに、前者のハンドル把手と同様に、キャップ部材を装着する場合において、キャップ部材と把手部とが共回りしてしまい、キャップ部材を筒状部に固定することが非常に困難である。
【０００５】
本発明の課題は、釣り用リールのハンドル把手において、キャップ部材と把手部とが共回りするのを防止することにある。
【課題を解決するための手段】
【０００６】
発明１に係る釣り用リールのハンドル把手は、釣り用リールのハンドルアームの先端に固定された把手軸に回転自在に装着されるハンドル把手であって、筒状部と、把手部と、キャップ部材とを備えている。筒状部は、把手軸の外周側に回転自在に装着された本体筒部と、本体筒部の外周部に突出して形成された凸部と、本体筒部のハンドルアームと逆側端部に開口するように形成されたねじ装着孔とを有している。把手部は、本体筒部の外周側に本体筒部の先端部から基端部に向かって凸部の外周部に接触するように装着される筒状の把手本体を有している。キャップ部材は、ねじ装着孔に螺合可能なねじ装着部と、ねじ装着部の外径より大径に形成されねじ装着部の開口を閉塞するように把手本体の先端部に接触可能な頭部とを有している。
【０００７】
このハンドル把手では、筒状部は、本体筒部の外周部に突出して形成された凸部を有しており、把手部の把手本体は、筒状部の本体筒部の先端部から基端部に向かって凸部の外周部に接触するように装着されている。ここでは、本体筒部には、外周部に突出した凸部が形成され、本体筒部に外周に把手本体を装着したとき、把手本体の内周に凸部の外周部が接触するようになっているので、本体筒部と把手本体との装着固定が強固になり、本体筒部と把手本体とが相対回転しにくくなる。したがって、キャップ部材を筒状部に装着するときに、キャップ部材自身を回転させてキャップ部材のねじ装着部を筒状部のねじ装着孔に螺合させても、キャップ部材と把手部とが共回りするのを防止することができるので、キャップ部材を筒状部に簡単に装着固定できるようになる。
【０００８】
発明２に係るハンドル把手は、発明１のハンドル把手において、凸部は、本体筒部の軸方向に沿って形成されている。この場合、凸部は本体筒部の軸方向（長手方向）に沿って形成されているので、把手本体の軸方向にわたって確実に回り止めを行える。
【０００９】
発明３に係るハンドル把手は、発明１又は２のハンドル把手において、凸部は、本体筒部の周方向に間隔をあけて複数箇所に形成されている。この場合、凸部は本体筒部の周方向に間隔をあけて複数箇所に沿って形成されているので、把手本体の全周にわたって確実に回り止めを行える。
【００１０】
発明４に係るハンドル把手は、発明１から３のいずれかのハンドル把手において、把手部は、本体筒部の外周側に接着固定されている。この場合、把手部を筒状部の外周部に接着したときに、特に、接着剤が完全に硬化する前に、キャップ部材を筒状部に装着しても、キャップ部材と把手部とが共回りしにくくなっているので、キャップ部材の筒状部への固定が容易になる。
【００１１】
発明５に係るハンドル把手は、発明１から３のいずれかのハンドル把手において、把手部は、本体筒部の外周側に着脱可能に圧入されている。この場合、キャップ部材を筒状部に圧入しても、キャップ部材と把手部とが共回りしにくくなっているので、キャップ部材の筒状部への固定が容易になる。また、本体筒部と把手本体とが相対回転しにくくなっているので、ハンドルを快適に使用できる。
【００１２】
発明６に係るハンドル把手は、発明１から５のいずれかのハンドル把手において、筒状部は、本体筒部の前記ハンドルアーム側端部外周に形成され本体筒部を回り止めするための回り止め部をさらに有している。この場合、筒状部は、本体筒部を回り止めするための回り止め部を有しているので、キャップ部材を装着するときに外部に露出する回り止め部をスパナ等の工具で固定することにより、キャップ部材自身を回転させても、キャップ部材と筒状部とが共回りすることがなくなる。したがって、キャップ部材を筒状部に簡単に装着固定できるようになる。
【００１３】
発明７に係るハンドル把手は、発明６のハンドル把手において、回り止め部は、本体筒部の外径より大径となるように形成されている。この場合、把手本体を本体筒部に圧入したときに回り止め部に接触させやすくなるので、回り止め部を外部に確実に露出できるとともに、スパナ等の工具での固定が容易になる。
【００１４】
発明８に係るハンドル把手は、発明６又は７のハンドル把手において、回り止め部は、外形形状が非円形となるように形成されている。この場合、回り止め部の外形形状を、たとえば六角形や四角形等の多角形状や対向する平行面を有する小判形状の非円形に形成することにより、回り止め部の形成が容易になるとともに、略コ形状の簡素な形状のスパナ等の工具での固定が可能になる。
【００１５】
発明９に係るハンドル把手は、発明６から８のいずれかのハンドル把手において、回り止め部は、本体筒部と一体成形されている。この場合、たとえば回り止め部と本体筒部とを成型加工により一体成形することにより、回り止め部の強度を高く維持できる。
【００１６】
発明１０に係るハンドル把手は、発明１から９のいずれかのハンドル把手において、筒状部は、本体筒部の内周部にインサート成形された筒部をさらに有している。この場合、本体筒部の内周部に筒部をインサート成形することにより、本体筒部の変形を抑えることができる。
【００１７】
発明１１に係るハンドル把手は、発明１０のハンドル把手において、本体筒部は、合成樹脂製部材であり、筒部は、金属製部材である。この場合、合成樹脂製の本体筒部の内周部に、アルミニウム合金等の金属製の筒部をインサート成形することにより、全体の軽量化を図りながら、本体筒部の変形を抑えることができる。
【００１８】
発明１２に係るハンドル把手は、発明１から８のいずれかのハンドル把手において、釣り用リールは、スピニングリールである。この場合、スピニングリールのハンドル把手において、キャップ部材を筒状部に装着するときに、キャップ部材と把手部とが共回りするのを防止できる。
【００１９】
発明１３に係るハンドル把手は、発明１から８のいずれかのハンドル把手において、釣り用リールは、両軸受リールである。この場合、両軸受リールのハンドル把手において、キャップ部材を筒状部に装着するときに、キャップ部材と把手部とが共回りするのを防止できる。
【００２０】
発明１４に係るハンドル把手は、発明１から８のいずれかのハンドル把手において、釣り用リールは、片軸受リールである。この場合、片軸受リールのハンドル把手において、キャップ部材を筒状部に装着するときに、キャップ部材と把手部とが共回りするのを防止できる。
【発明の効果】
【００２１】
本発明によれば、釣り用リールのハンドル把手において、筒状部は、本体筒部の外周部に突出して形成された凸部を有しており、把手部の把手本体は、筒状部の本体筒部の先端部から基端部に向かって凸部の外周部に接触するように装着されているので、キャップ部材を筒状部に装着するときに、キャップ部材と把手部とが共回りするのを防止することができる。
【発明を実施するための最良の形態】
【００２２】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール１２とを備えている。ハンドル組立体２のリール本体１側には、ドラグ調整用のスタードラグ３が設けられている。
【００２３】
リール本体１は、フレーム５と、フレーム５の両側方に装着された第１側カバー６ａ及び第２側カバー６ｂとを有している。また、リール本体１は、フレーム５の前方を覆う前カバー７と、上部を覆うサムレスト８とを有している。フレーム５は、左右に所定の間隔をあけて互いに対向するように配置された１対の第１側板５ａ及び第２側板５ｂと、これらの第１側板５ａ及び第２側板５ｂを連結する図示しない複数の連結部とを有している。フレーム５は、下側の連結部に設けられた図示しない竿装着部により釣竿に装着可能である。
【００２４】
リール本体１の内部には、釣竿と交差する方向に配置されたスプール１２と、スプール１２に釣り糸を均一に巻き取るための図示しないレベルワインド機構と、ハンドル組立体２の回転をスプールに伝達する図示しない回転伝達機構とが配置されている。回転伝達機構には、ハンドル組立体２が先端に装着されたハンドル軸２０と、ハンドル組立体２の回転をスプール１２に伝達、遮断（オン、オフ）する図示しないクラッチ機構と、図示しないドラグ機構とが設けられている。ハンドル軸２０は、リール本体１に第１回転軸Ｘ１回りに回転自在に支持されている。フレーム５の後部には、クラッチ機構をオン、オフ操作するとともに、サミングの当てとなるクラッチレバー１７が揺動自在に装着されている。
【００２５】
ハンドル組立体２は、図２に示すように、ハンドル軸２０の先端に回転不能に装着されたハンドルアーム２１と、ハンドルアーム２１の両端に固定された把手軸２２と、把手軸２２に回転自在かつ軸方向移動不能に装着されたハンドル把手２３とを有している。ハンドルアーム２１は、ハンドル軸２０の先端に回転不能に装着された座金２４と、座金２４に２本のビス２５によりねじ止めされハンドル軸２０の径方向両外方に延びる板状のアーム部２６とを有している。
【００２６】
座金２４は、両端が円形の変形菱形形状、たとえばステンレス合金等の金属製の板状部材である。座金２４は、ハンドル軸２０の先端部周面に平行に形成された面取り部２０ａに係合する小判孔２４ａを中心部に有しており、これによりハンドル軸２０に回転不能に係止される。座金２４は、ハンドル軸２０の先端に装着されたナット部材２７によりハンドル軸２０に固定されている。座金２４の両端は、アーム部２６側に折れ曲がっている。この折れ曲がった両端にビス２５が装着されアーム部２６を取り付けている。このように両端を折り曲げることでビス２５の頭部が外方に向くため、アーム部２６を着脱する際にビス２５を回しやすくなる。
【００２７】
アーム部２６は、リール本体１側の内側面とリール本体１と逆側の外側面とが滑らかな曲線で構成された、たとえばアルミニウム合金等の金属製の板状の部材であり、中心部が両端部より肉厚が厚く膨らんでいる。内側面の中心部には、ナット部材２７を回転不能に係止するための回り止め穴２６ａが形成されている。回り止め穴２６ａの周囲及び長手方向両側には、座金２４を内側面と面一に収納するための収納凹部２６ｂが形成されている。この収納凹部２６ｂの輪郭は、座金２４の外形と略同一である。アーム部２６の外側面両端には、図３に示すように、リール本体１から離れる方向に突出する円筒状のボス部２６ｃが形成されている。ボス部２６ｃの中心部には、把手軸２２をねじにより固定するための第１ねじ穴２６ｄが形成されている。第１ねじ穴２６ｄは、ハンドル軸２０の第１回転軸Ｘ１と実質的とに平行な第２回転軸Ｘ２に沿って形成されかつボス部２６ｃの軸方向外方側にのみ開口するねじ穴であり、そこにはハンドル組立体２の巻き取り方向の回転と同じ右ねじが形成されている。このため、ボス部２６ｃは袋ナット状に構成され、アーム部２６の内側面には貫通孔や突出部等が形成されない。しかも、ハンドル組立体２を巻き取り方向に回転させても把手軸２２が緩みにくい。
【００２８】
把手軸２２は、図３に示すように、第１回転軸Ｘ１と平行な第２回転軸Ｘ２に沿って配置された、たとえばステンレス合金等の金属製の軸であり、基端に他の部分より小径の雄ねじ部２２ａが形成され、他端面に第２ねじ穴２２ｂが形成されている。また、雄ねじ部２２ａに隣接して他の部分より大径の工具係止部２２ｃが形成されている。雄ねじ部２２ａは、第１ねじ穴２６ｄに螺合しており、この螺合により把手軸２２がアーム部２６に固定される。工具係止部２２ｃの外周面には、スパナ等の工具を係止可能な平行な面取り部２２ｄが形成されている。把手軸２２の工具係止部２２ｃに隣接した外周部と先端外周部とには、軸受３０ａ、３０ｂが配置されている。この軸受３０ａ、３０ｂによりハンドル把手２３が把手軸２２に回転自在に支持される。軸受３０ｂは、第２ねじ穴２２ｂに装着されたボルト部材２８により軸方向移動不能に装着されている。このボルト部材２８は、軸受３０ｂを介してハンドル把手２３を把手軸２２に対して抜け止めしている。
【００２９】
ハンドル把手２３は、図３及び図４に示すように、把手軸２２に回転自在かつ軸方向移動不能に装着される筒状部３１と、筒状部３１の外周側を覆うように接着固定された把手部３２と、把手部３２の先端部の開口を閉塞するためのキャップ部材３３とを有している。
【００３０】
筒状部３１は、図３及び図４に示すように、把手軸２２の外周側に回転自在に装着された本体筒部３１ａと、本体筒部３１ａのハンドルアーム２１側（図３左側）端部外周に形成され本体筒部３１ａを回り止めするための回り止め部３１ｂと、本体筒部３１ａのハンドルアーム２１と逆側（図３右側）端部に開口するように形成された雌ねじ部３１ｃと、本体筒部３１ａの外周部に突出して形成された凸部３１ｄと、本体筒部３１ａの内周部にインサート成形された筒部３１ｅとを有している。
【００３１】
本体筒部３１ａは、ポリアセタールやポリアミド樹脂等の硬質樹脂製の筒状部材であって、筒部３１ｅのインサート成形によって一体成形されている。本体筒部３１ａの内周には、軸受３０ａ、３０ｂが装着されており、この軸受３０ａ、３０ｂによって把手軸２２に対して筒状部３１が回転自在となっている。
【００３２】
回り止め部３１ｂは、本体筒部３１ａの基端部（図３左側）外周に本体筒部３１ａの他の部分より大径になるように一体成形されており、後述する把手部３２の把手本体３２ａを装着したときに外部に露出している。回り止め部３１ｂは、外径形状が六角形となる非円形に形成されており、略コ形状の簡素な形状のスパナ等の工具が係止可能である。
【００３３】
雌ねじ部３１ｃは、本体筒部３１ａの先端部（図３右側）内周に形成されたねじ孔であって、後述するキャップ部材３３の雄ねじ部３３ａが螺合可能である。
【００３４】
凸部３１ｄは、本体筒部３１ａの軸方向（長手方向）に沿って形成され、周方向に複数箇所に並べて配置された突出部である。ここでは、凸部３１ｄによって、後述する把手部３２の把手本体３２ａを装着したときに、把手本体３２ａの内周に凸部３１ｄの外周部が接触することにより、把手本体３２ａを本体筒部３１ａに対して回り止め及び抜け止めを行うことができる。
【００３５】
筒部３１ｅは、アルミニウム合金を切削加工して形成された筒状部材であって、本体筒部３１ａの内周部にインサート成形されている。ここでは、筒部３１ｅによって、全体の軽量化を図りながら、本体筒部３１ａの変形を抑えることができる。
【００３６】
把手部３２は、図３及び図４に示すように、第２回転軸Ｘ２に沿った方向の長さが第２回転軸Ｘ２の径方向に沿った長さより長い扁平棒状の筒状部材である把手本体３２ａを有している。把手本体３２ａは、本体筒部３１ａの外周側に本体筒部３１ａの先端部（図３右側）から本体筒部３１ａの基端部（図３左側）に向かって回り止め部３１ｂに接触するように接着固定される筒状部材である。把手本体３２ａは、エラストマーやクロロプレンゴム等の合成樹脂によって形成されている。把手本体３２ａは、第２回転軸Ｘ２方向の中心部分が狭まった形状であり、その対向する主面に第２回転軸Ｘ２方向に沿って滑らかに内側に湾曲したつまみ面が形成されている。つまみ面は、つまんだときに右手の手の指先にフィットするように変形矩形状に形成されている。把手本体３２ａは、切断方向によって厚みが異なる偏平形状となっており、また、把手軸２２を挟んで対称形状となっている。把手本体３２ａの先端部（図３右側）の開口には、この開口を閉塞するためのキャップ部材３３が装着されている。
【００３７】
キャップ部材３３は、図３及び図４に示すように、筒状部３１の先端部（図３右側）内周部の雌ねじ部３１ｃに螺合可能な雄ねじ部３３ａと、雄ねじ部３３ａの外径より大径に形成され雄ねじ部３３ａの開口を閉塞するように把手本体３２ａの先端部（図３右側）に接触可能な頭部３３ｂと、頭部３３ｂに形成された工具係止用の係止部３３ｃとを有している。キャップ部材３３は、ハンドル把手２３を把手軸２２にボルト部材２８により装着した後、把手本体３２ａの先端部（図３右側）に装着固定される。
【００３８】
また、このような構成のハンドル把手２３を組み立てるには、まず、把手軸２２の雄ねじ部２２ａをアーム部２６の第１ねじ穴２６ｄに螺合することによって、把手軸２２をアーム部２６に固定する。次に、把手軸２２に軸受３０ａを装着した状態で把手部３２が接着固定された筒状部３１を装着し、さらに把手軸２２に軸受３０ｂを装着する。そして、把手軸２２の第２ねじ穴２２ｂにボルト部材２８を装着することによって、筒状部３１が把手軸２２に対して回転自在に支持される。最後に、把手部３２の先端部（図３右側）の開口にキャップ部材３３を装着固定する。このとき、キャップ部材３３を装着固定するには、筒状部３１の外部に露出する回り止め部３１ｂをスパナ等の工具で固定した状態で、係止部３３ｃに係止工具を係止して回転させると、キャップ部材３３自身が回転し、雄ねじ部３３ａが雌ねじ部３１ｃに螺合してキャップ部材３３が筒状部３１に固定される。
【００３９】
このように構成されたハンドル組立体２では、ハンドルアーム２１のアーム部２６の両端に軸方向外方にのみ開口する第１ねじ穴２６ｄを形成し、第１ねじ穴２６ｄに把手軸２２を螺合させて固定しているので、アーム部２６の内側面に突出部がなくなり、この内側面に釣り糸が引っかかりにくくなり絡みにくくなる。また、座金２４をハンドル軸２０に固定し、その座金２４にアーム部２６を固定してハンドルアーム２１を構成しているので、アーム部２６の外側面も滑らかな形状にすることができ、外側面でも釣り糸が絡みにくくなる。しかも、座金２４をアーム部２６の収納凹部２６ｂに収納して内側面から突出しないようにしているので、アーム部２６の内側面の中心部での引っかかりも少なくなる。
【００４０】
次にリールの動作について説明する。
【００４１】
キャスティング時には、クラッチレバー１７によりクラッチ機構を離脱状態にしてスプール１２を自由回転状態にする。この状態で釣竿をキャスティングすると、ルアーの自重によりルアーが前方に飛行しスプール１２から釣り糸が繰り出される。このとき、バックラッシュ現象が発生すると糸ふけが生じ、釣り糸がリール本体１の後部から飛び出しハンドル組立体２に引っかかろうとする。しかし、前述したように、アーム部２６の内側面に突出部がないので釣り糸が引っかかりにくくなりアーム部２６に絡みにくくなる。
【００４２】
ルアーが着水すると、所定のタイミングでハンドル組立体２を僅かに巻き取り方向に回転させ、クラッチ機構を係合状態にする。するとスプール１２が繰り出し方向への回転が停止する。この状態でハンドル組立体２を回したり釣竿を上下動させてルアーを泳がせて当たりを待つ。魚がルアーに掛かるとハンドル組立体２を巻き取り方向に回転させて魚を取り込む。このようにハンドル組立体２を巻き取り方向に回転させても、把手軸２２が巻き取り方向と同方向のねじにより固定されているので、把手軸２２が緩みにくい。
【００４３】
このようなハンドル把手２３では、把手部３２の把手本体３２ａは、筒状部３１の本体筒部３１ａの外周側に接着固定され、筒状部３１は、本体筒部３１ａのハンドルアーム２１側（図３左側）端部外周に形成され本体筒部３１ａを回り止めするための回り止め部３１ｂを主に有している。
【００４４】
ここでは、筒状部３１は、本体筒部３１ａを回り止めするための回り止め部３１ｂを有しているので、キャップ部材３３を装着するときに外部に露出する回り止め部３１ｂをスパナ等の工具で固定することにより、キャップ部３３材自身を回転させても、キャップ部材３３と筒状部３１とが共回りすることがなくなる。したがって、キャップ部材３３を筒状部３１に簡単に装着固定できるようになる。
【００４５】
さらに、ここでは、本体筒部３１ａには、外周部に突出した凸部３１ｄが形成され、本体筒部３１ａに外周に把手本体３２ａを装着したとき、把手本体３２ａの内周に凸部３１ｄの外周部が接触するようになっているので、本体筒部３１ａと把手本体３２ａとの装着固定が強固になり、本体筒部３１ａと把手本体３２ａとが相対回転しにくくなる。したがって、キャップ部材３３を筒状部３１に装着するときに、キャップ部材３３自身を回転させても、キャップ部材３３と把手部３２とが共回りするのを防止することができる。
【００４６】
〔他の実施形態〕
（ａ）  前記実施形態では、両軸受リールを例にあげて説明したが、図６に示すスピニングリールや、図７に示す片軸受リール等の他形式の釣り用リールのハンドル把手にも本発明を適用できる。また、ハンドルつまみは、ダブルハンドルのものに限定されず、シングルハンドルのものにも本発明を適用できる。
【００４７】
本発明の他の実施形態を採用したスピニングリールは、図６に示すように、ハンドル組立体１０１と、ハンドル組立体１０１を回転自在に支持するリール本体１０２と、ロータ１０３と、図示しないスプールとを備えている。ハンドル組立体１０１は、リール本体１０２の両側部の一方側に交換可能に装着されている。ロータ１０３は、リール本体１０２の前部に回転自在に支持されている。スプールは、釣り糸を外周面に巻き取るものであり、ロータ１０３の前部に前後移動自在に配置されている。
【００４８】
ハンドル組立体１０１は、ハンドル軸１１０の先端に装着されるハンドルアーム１２１と、ハンドルアーム１２１の先端に装着されたハンドル把手１２３とを備えている。
【００４９】
ハンドル把手１２３は、ハンドルアーム１２１の先端にかしめ固定された把手軸１２２に回転自在に装着されている。ハンドル把手１２３は、把手軸１２２に回転自在かつ軸方向移動不能に装着される筒状部１３１と、筒状部１３１の外周側を覆うように接着固定された把手部１３２と、把手部１３２の先端部の開口を閉塞するためのキャップ部材１３３とを有している。把手部１３２は、筒状部１３１の外周側に接着固定され、筒状部１３１は、本体筒部１３１ａと、本体筒部１３１ａを回り止めするための回り止め部１３１ｂを有している。
【００５０】
なお、ハンドル把手１２３の構成は、前記実施形態の図番に１００を加えたものと同様であるので、詳細な説明は省略する。ここでは、スピニングリールのハンドル把手１２３においても、前記実施形態と同様に、把手部１３２を筒状部１３１から容易に着脱することができるとともに、キャップ部材１３３を筒状部１３１に簡単に装着固定できるようになる。
【００５１】
本発明の他の実施形態を採用した片軸受リールは、図７に示すように、リール本体２０１と、リール本体２０１に片持ち支持されたスプール軸２０２と、スプール軸２０２に対して相対回転自在に配置され外周に釣り糸が巻かれるスプール２０３とを備えている。スプール２０３は、筒状の糸巻胴部２１５と、糸巻胴部２１５の一端部に糸巻胴部２１５と一体で形成された円板状の内フランジ２１６と、糸巻胴部２１５の他端部にリール本体２０１の開放部を覆うように装着された外フランジ２１７とを有している。外フランジ２１７の外面で外周近くにはハンドル把手２２３が取り付けられている。
【００５２】
ハンドル把手２２３は、外フランジ２１７に立設された把手軸２２２に回転自在に装着されている。ハンドル把手２２３は、把手軸２２２に回転自在かつ軸方向移動不能に装着される筒状部２３１と、筒状部２３１の外周側を覆うように接着固定された把手部２３２と、把手部２３２の先端部の開口を閉塞するためのキャップ部材２３３とを有している。把手部２３２は、筒状部２３１の外周側に接着固定され、筒状部２３１は、本体筒部２３１ａと、本体筒部２３１ａを回り止めするための回り止め部２３１ｂを有している。
【００５３】
なお、ハンドル把手２２３の構成は、前記実施形態の図番に２００を加えたものと同様であるので、詳細な説明は省略する。ここでは、片軸受リールのハンドル把手２２３においても、前記実施形態と同様に、把手部２３２を筒状部２３１から容易に着脱することができるとともに、キャップ部材２３３を筒状部２３１に簡単に装着固定できるようになる。
【００５４】
（ｂ）  前記実施形態では、筒状部３１は、硬質樹脂製の本体筒部３１ａに金属製の筒部３１ｅがインサート成形されていたが、図５に示すように、金属製の筒部を設けない構成にしてもよい。また、筒状部３１の材質はこれらに限定されるものではなく、たとえば本体筒部３１ａを金属により形成してもよい。
【００５５】
（ｃ）  前記実施形態では、把手部３２は、エラストマーやクロロプレンゴム等の合成樹脂によって形成されていたが、把手部３２の材質はこれらに限定されるものではなく、たとえばウレタンゴムや軟質塩化ビニル（ＰＶＣ）等の弾性体樹脂によって形成してもよい。
【００５６】
（ｄ）  前記実施形態では、回り止め部３１ｂは、外径形状が六角形となる非円形に形成されていたが、外径形状はこれに限定されるものではなく、たとえば四角形等他の多角形状や対向する平行面を有する小判形状の非円形に形成してもよい。
【００５７】
（ｅ）  前記実施形態では、把手部３２の把手本体３２ａは、筒状部３１の本体筒部３１ａの外周側に接着固定されていたが、本体筒部３１ａの外周側に把手本体３２ａを着脱可能に圧入する構成にしてもよい。ここでは、把手部３２の把手本体３２ａは、筒状部３１の本体筒部３１ａの外周側に着脱可能に圧入されているだけであるので、把手本体３２ａを本体筒部３１ａから容易に着脱することができる。したがって、把手部３２を筒状部３１から容易に着脱することができるとともに、筒状部３１を交換することなく把手部３２を新しいものと交換することができるので、従来のように筒状部を把手部とともに交換する場合に比して、経済的になる。
【図面の簡単な説明】
【００５８】
【図１】本発明の一実施形態を採用した両軸受リールの斜視図。
【図２】前記両軸受リールの平面一部破断図。
【図３】ハンドル組立体の断面拡大図。
【図４】前記ハンドル組立体の分解斜視図。
【図５】他の実施形態の図３に相当する図。
【図６】本発明の他の実施形態を採用したスピニングリールの断面図。
【図７】本発明の他の実施形態を採用した片軸受リールの断面図。
【符号の説明】
【００５９】
１  リール本体
２１  ハンドルアーム
２２  把手軸
２３  ハンドル把手
３１  筒状部
３１ａ  本体筒部
３１ｂ  回り止め部
３１ｃ  雌ねじ部
３１ｄ  凸部
３１ｅ  筒部
３２  把手部
３２ａ  把手本体
３３  キャップ部材
３３ａ  雄ねじ部
３３ｂ  頭部
３３ｃ  係止部
【図１】
2008005793.tif 000003
【図２】
2008005793.tif 000004
【図３】
2008005793.tif 000005
【図４】
2008005793.tif 000006
【図５】
2008005793.tif 000007
【図６】
2008005793.tif 000008
【図７】
2008005793.tif 000009